(57)【要約】【課題】無線通信を行う携帯電話機の位置関係に応じて通信手段を選択する無線通信システムを提供する。【解決手段】公衆基地局１から呼び出しがあった場合は（ステップＳ３００２／ＹＥＳ）、移動機２から送信されたＳＥＴＵＰメッセージからオペレータ固有情報エリア内の情報を読み出し、移動機２の位置情報、ＢＤアドレス、ＰＩＮコードを取得する（ステップＳ３００３）。受信したＳＥＴＵＰメッセージから移動機２の位置情報、ＢＤアドレス、ＰＩＮコードの全てが取得できた場合（ステップＳ３００３／ＹＥＳ）、取得した移動機２の位置情報と、移動機３内のＧＰＳ部２０２により取得した自機の位置情報とから、移動機間の距離を算出する（ステップＳ３００４）。移動機間の距離が算出されると、算出された距離がＢＴ通信可能な範囲であるか否かを判断する（ステップＳ３００５）。【選択図】図１
2007336359.tif 000002
【特許請求の範囲】
【請求項１】
他の携帯電話機と直接に近距離通信を行う近距離通信手段と、公衆基地局を介して公衆電話網に無線接続する無線通信手段とを有する携帯電話機を備えた無線通信システムにおいて、
前記携帯電話機は、
発信側の前記携帯電話機から送信されたオペレータ固有情報を含むセットアップメッセージを、前記公衆電話網を介して受信するセットアップメッセージ取得手段と、
前記セットアップメッセージ取得手段によって取得した前記セットアップメッセージから前記オペレータ固有情報を読み出し、記憶する記憶手段と、
前記記憶手段に記憶された前記オペレータ固有情報に基づいて、前記近距離通信手段と前記無線通信手段とを切り替える制御手段とを有することを特徴とする無線通信システム。
【請求項２】
前記携帯電話機は、ＧＰＳ衛星からの電波によって現在位置を検出する位置情報検出手段を有し、
前記オペレータ固有情報は、発信側の前記携帯電話機の現在位置を示す位置情報を有し、
前記制御手段は、
前記位置情報検出手段によって検出した現在位置と前記位置情報とから前記近距離通信手段による通信が可能か否かを判断し、
前記近距離通信手段による通信が可能であると判断されたとき、前記近距離通信手段によって発信側の前記携帯電話機と通信することを特徴とする請求項１記載の無線通信システム。
【請求項３】
前記制御手段は、前記近距離通信手段による通信が可能であると判断されたとき、前記公衆回線網との接続を切断し、前記近距離通信手段によって発信側の前記携帯電話機と通信することを特徴とする請求項２記載の無線通信システム。
【請求項４】
前記近距離通信手段がブルートゥースであり、
前記オペレータ固有情報は、前記各携帯電話機の前記近距離通信手段に付与された固有のＢＤアドレスとＰＩＮコードとを有し、
前記携帯電話機は、
前記近距離通信手段によって発信側の前記携帯電話機と通信するとき、前記ＢＤアドレスと同様のＢＤアドレスを発信する前記携帯電話機を補足し、
該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、
前記オペレータ固有情報に含まれる前記ＰＩＮコードと、発信側の前記携帯電話機の前記近距離通信手段に付与されたＰＩＮコードとが一致したとき、前記制御手段は、前記近距離通信手段によって発信側の前記携帯電話機と通信することを特徴とする請求項１から３のいずれか１項記載の無線通信システム。
【請求項５】
前記携帯電話機は、
前記無線通信手段によって発信側の前記携帯電話機と無線接続されているとき、前記オペレータ固有情報に含まれる前記ＢＤアドレスと同様のＢＤアドレスを発信する前記携帯電話機の補足を継続し、
該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、
前記オペレータ固有情報に含まれる前記ＰＩＮコードと、発信側の前記携帯電話機の前記近距離通信手段に付与されたＰＩＮコードとが一致したとき、前記制御手段は、前記無線通信手段による無線接続を切断し、前記近距離通信手段による発信側の前記携帯電話機との通信を開始することを特徴とする請求項４記載の無線通信システム。
【請求項６】
前記携帯電話機は、前記近距離通信手段による通信が通信環境の劣化によって切断されたとき、前記制御手段は、前記無線通信手段によって発信側の前記携帯電話機と接続することを特徴とする請求項１から５のいずれか１項記載の無線通信システム。
【請求項７】
他の携帯電話機と直接に近距離通信を行う近距離通信手段と、公衆基地局を介して公衆電話網に無線接続する無線通信手段とを有する携帯電話機において、
発信側の前記携帯電話機から送信されたオペレータ固有情報を含むセットアップメッセージを、前記公衆電話網を介して受信するセットアップメッセージ取得手段と、
前記セットアップメッセージ取得手段によって取得した前記セットアップメッセージから前記オペレータ固有情報を読み出し、記憶する記憶手段と、
前記記憶手段に記憶された前記オペレータ固有情報に基づいて、前記近距離通信手段と前記無線通信手段とを切り替える制御手段とを有することを特徴とする携帯電話機。
【請求項８】
ＧＰＳ衛星からの電波によって現在位置を検出する位置情報検出手段と、
前記オペレータ固有情報は、発信側の前記携帯電話機の現在位置を示す位置情報とを有し、
前記制御手段は、
前記位置情報検出手段によって検出した現在位置と前記位置情報とから前記近距離通信手段による通信が可能か否かを判断し、
前記近距離通信手段による通信が可能であると判断されたとき、前記近距離通信手段によって発信側の前記携帯電話機と通信することを特徴とする請求項７記載の携帯電話機。
【請求項９】
前記制御手段は、前記近距離通信手段による通信が可能であると判断されたとき、前記公衆回線網との接続を切断し、前記近距離通信手段によって発信側の前記携帯電話機と通信することを特徴とする請求項８記載の携帯電話機。
【請求項１０】
前記近距離通信手段がブルートゥースであり、
前記オペレータ固有情報は、前記各携帯電話機の前記近距離通信手段に付与された固有のＢＤアドレスとＰＩＮコードとを有し、
前記近距離通信手段によって発信側の前記携帯電話機と通信するとき、前記ＢＤアドレスと同様のＢＤアドレスを発信する前記携帯電話機を補足し、
該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、
前記オペレータ固有情報に含まれる前記ＰＩＮコードと、発信側の前記携帯電話機の前記近距離通信手段に付与されたＰＩＮコードとが一致したとき、前記制御手段は、前記近距離通信手段によって発信側の前記携帯電話機と通信することを特徴とする請求項７から９のいずれか１項記載の携帯電話機。
【請求項１１】
前記無線通信手段によって発信側の前記携帯電話機と無線接続されているとき、前記オペレータ固有情報に含まれる前記ＢＤアドレスと同様のＢＤアドレスを発信する前記携帯電話機の補足を継続し、
該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、
前記オペレータ固有情報に含まれる前記ＰＩＮコードと、発信側の前記携帯電話機の前記近距離通信手段に付与されたＰＩＮコードとが一致したとき、前記制御手段は、前記無線通信手段による無線接続を切断し、前記近距離通信手段による発信側の前記携帯電話機との通信を開始することを特徴とする請求項１０記載の携帯電話機。
【請求項１２】
前記近距離通信手段による通信が通信環境の劣化によって切断されたとき、前記制御手段は、前記無線通信手段によって発信側の前記携帯電話機と接続することを特徴とする請求項７から１１のいずれか１項記載の携帯電話機。
【発明の詳細な説明】
【技術分野】
【０００１】
本発明は、無線通信システム及び携帯電話機に関し、特に、無線通信を行う携帯電話機の位置関係に応じて通信手段を選択する無線通信システム及び携帯電話機に関する。
【背景技術】
【０００２】
最近、Bluetooth（以下、ＢＴとする）機能やＧＰＳ機能を内蔵した携帯電話（以下、移動機とする）が数多く開発されている。
【０００３】
ＢＴは、端末間同士でローカルにて通信を行うもので、基地局を介するものではないので、公衆回線に対して、通信費がかからないというメリットがある反面、通信距離に制限があり、１００ｍ程度が通信距離の限界である。一般には、パソコンとＢＴ内蔵移動機間でのデータ転送や、ＢＴ内蔵移動機とＢＴヘッドセット（図１に示す）にて音声通信を行い、コードレスのヘッドセットが実現されている。
【０００４】
また、最近では、例えば職場内、会社内においても、連絡用として移動機を使用するシーンが多く見られ、通信費が高くなることが懸念される。
【０００５】
特許文献１では、携帯電話機には、利用可能な公衆電話機を検出するための第１の近距離無線通信用送受信部と、前記公衆電話機からの応答信号の受信後に、前記第１の近距離無線用送受信部を介して前記公衆電話機との間で近距離無線モードで通話を開始し、通話終了時に前記公衆電話機からの課金情報を受取って課金処理を行う第１の制御部とを設け、前記公衆電話機には、アクセス可能な携帯電話機からの前記検出信号を受信すると前記応答信号を送信する第２の近距離無線通信用送受信部と、前記応答信号の送信後に、前記第２の近距離無線通信用送受信部を介して前記携帯電話機との間で前記近距離無線モードで通話を開始し、通話終了時に前記携帯電話機に対して前記課金情報を送信する第２の制御部とを有する公衆電話システムが提案されている。
【０００６】
特許文献２では、一定の近距離範囲内に他の携帯電話装置が存在しているか否かを判定する近距離判定手段と、前記近距離判定手段において前記近距離範囲内に他の携帯電話装置が存在していると判断された場合に当該他の携帯電話装置と直接に近距離通信を行うトランシーバ型通信手段と、前記近距離判定手段において前記近距離範囲内に他の携帯電話装置が存在していないと判定された場合に所定の携帯電話基地局を介して当該他の携帯電話装置と通信を行う携帯電話型通信手段とを備える携帯電話装置が提案されている。
【０００７】
特許文献３では、基地局を介した第１の無線通信を行う機能と、前記第１の無線通信とは異なる第２の無線通信を行う機能とを有する通信端末装置を備え、複数の通信端末装置間で通信を行う無線通信システムであって、前記通信端末装置は、前記第２の無線通信によって他の通信端末装置との間で認証を行う認証手段と、前記認証の後、前記第２の無線通信によって前記他の通信端末装置へ指示情報を送信して制御する制御手段と、を備えることにより、他の通信端末装置が第１の無線通信を行う通信網の接続圏外に位置する場合においても、この通信端末装置を第２の無線通信によって無線で遠隔制御することができる無線通信システムが提案されている。
【０００８】
特許文献４では、無線ＬＡＮによる通信手段と、無線電話による通信手段と、ＧＰＳ衛星からの電波によって現在位置を検出する位置情報検出手段と、複数地点の無線ＬＡＮによる通信の可否に関する無線地点情報を格納する無線地点情報格納手段と、前記無線ＬＡＮによる通信手段と前記無線電話による通信手段を切り替えるセレクタで構成し、前記無線地点情報格納手段から読み出した現在位置の無線地点情報から無線ＬＡＮによる通信が可能と判定した場合、前記セレクタを無線ＬＡＮ側に切り替えることにより現在位置において無線ＬＡＮによる安定した通信が確保できるか否かを予め認識することができる携帯無線端末が提案されている。
【０００９】
特許文献５では、呼び出された電話装置から発信された位置通知信号に基づき、電話装置の位置を検出する相手位置検出手段と、検出された位置情報に基づき所定の基準により接続される回線ルートを決定する回線選択手段とを備えることにより、通話相手が移動しても、例えば通話料金が最安価になる最適な回線を選択することができる電話装置が提案されている。
【００１０】
特許文献６では、記憶手段に記憶中の通話料金体系に基づいて、この無線電話装置本体から無線電話システムを経由して着信先電話機までの通話料金を、各無線電話システム毎に算出し、これら算出された各無線電話システムの通話料金の内、一番安価な通話料金に対応する無線電話システムを選択し、この選択した無線電話システムを経由して着信先電話機に発信することにより、無線電話システムを経由して着信先電話機に発信するに際して、ユーザに操作負担をかけることなく、一番安価な通話料金の無線電話システムに接続でき、かつユーザが負担する通話料金を最小限に抑えることができる無線電話装置が提案されている。
【特許文献１】特開２００２−１１１９１４号公報
【特許文献２】特開２００４−０５６２６８号公報
【特許文献３】特開２００５−０１２２６５号公報
【特許文献４】特開２００５−１９８０６０号公報
【特許文献５】特開平６−２６１１５０号公報
【特許文献６】特開平１１−８８４９２号公報
【発明の開示】
【発明が解決しようとする課題】
【００１１】
しかし、上記の発明は以下の問題を有している。
【００１２】
特許文献６には、各無線電話システムの受信情報に含まれる位置登録情報の中から無線電話装置本体の現在位置を示す位置情報を抽出し、抽出した位置情報と自装置の位置情報とから無線電話装置間の距離を認識し、各無線電話システムの距離に対応した通話料金を算出し、適切な無線電話システムによる接続を実現しているが、前記位置情報を前記受信情報に埋め込む具体的な方法についての記載がない。
【００１３】
特許文献４には、ＧＰＳ衛星からのＧＰＳ電波を受信して携帯無線端末自らの現在位置を検出し、検出された現在位置における無線ＬＡＮによる通信の可否を判断し、その判断結果に基づいて適切な通信手段を選択しているが、通信相手の位置情報を取得する方法について記載されていない。
【００１４】
特許文献３には、通信相手から送信された情報を受信し、解読された識別符号を取得すると、取得した識別符号が予め記憶された識別符号と合致するか否かの認証を行い、認証の結果に基づいて通信相手との接続を許可／不許可しているが、通信相手の識別符号を予め取得しておく方法について説明されていない。
【００１５】
特許文献２には、発信時の携帯電話機間の距離に応じてトランシーバ機能と携帯電話機能とを選択することにより、近距離間の通話においては携帯電話基地局を介さずに通話を行うことで通信料金の節約を実現しているが、通信相手の位置を検出する具体的な方法について説明されていない。
【００１６】
そこで、本発明は、公衆基地局から呼び出しがあったとき、発信側の移動機から送信されたＳＥＴＵＰメッセージからオペレータ固有情報エリア内の情報を読み出し、発信側の移動機の位置情報、ＢＤアドレス、ＰＩＮコードを取得し、取得した移動機の位置情報と、着信側の移動機内のＧＰＳ部により取得した自機の位置情報とから、移動機間の距離を算出し、移動機間の距離が算出されると、算出された距離がＢＴ通信可能な範囲であるか否かを判断して、ＢＴ機能又は公衆回線による通信を選択して通信を実現することにより、公衆回線の使用による課金が発生せず、かつ移動機間の距離に応じて適切な通信手段によって通話を実現することができる無線通信システム及び携帯電話機を提案することを目的としている。
【課題を解決するための手段】
【００１７】
請求項１記載の発明は、他の携帯電話機と直接に近距離通信を行う近距離通信手段と、公衆基地局を介して公衆電話網に無線接続する無線通信手段とを有する携帯電話機を備えた無線通信システムにおいて、前記携帯電話機は、発信側の前記携帯電話機から送信されたオペレータ固有情報を含むセットアップメッセージを、前記公衆電話網を介して受信するセットアップメッセージ取得手段と、前記セットアップメッセージ取得手段によって取得した前記セットアップメッセージから前記オペレータ固有情報を読み出し、記憶する記憶手段と、前記記憶手段に記憶された前記オペレータ固有情報に基づいて、前記近距離通信手段と前記無線通信手段とを切り替える制御手段とを有することを特徴とする。
【００１８】
請求項２記載の発明は、請求項１記載の無線通信システムにおいて、前記携帯電話機は、ＧＰＳ衛星からの電波によって現在位置を検出する位置情報検出手段を有し、前記オペレータ固有情報は、発信側の前記携帯電話機の現在位置を示す位置情報を有し、前記制御手段は、前記位置情報検出手段によって検出した現在位置と前記位置情報とから前記近距離通信手段による通信が可能か否かを判断し、前記近距離通信手段による通信が可能であると判断されたとき、前記近距離通信手段によって発信側の前記携帯電話機と通信することを特徴とする。
【００１９】
請求項３記載の発明は、請求項２記載の無線通信システムにおいて、前記制御手段は、前記近距離通信手段による通信が可能であると判断されたとき、前記公衆回線網との接続を切断し、前記近距離通信手段によって発信側の前記携帯電話機と通信することを特徴とする。
【００２０】
請求項４記載の発明は、請求項１から３のいずれか１項記載の無線通信システムにおいて、前記近距離通信手段がブルートゥースであり、前記オペレータ固有情報は、前記各携帯電話機の前記近距離通信手段に付与された固有のＢＤアドレスとＰＩＮコードとを有し、前記携帯電話機は、前記近距離通信手段によって発信側の前記携帯電話機と通信するとき、前記ＢＤアドレスと同様のＢＤアドレスを発信する前記携帯電話機を補足し、該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、前記オペレータ固有情報に含まれる前記ＰＩＮコードと、発信側の前記携帯電話機の前記近距離通信手段に付与されたＰＩＮコードとが一致したとき、前記制御手段は、前記近距離通信手段によって発信側の前記携帯電話機と通信することを特徴とする。
【００２１】
請求項５記載の発明は、請求項４記載の無線通信システムにおいて、前記携帯電話機は、前記無線通信手段によって発信側の前記携帯電話機と無線接続されているとき、前記オペレータ固有情報に含まれる前記ＢＤアドレスと同様のＢＤアドレスを発信する前記携帯電話機の補足を継続し、該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、前記オペレータ固有情報に含まれる前記ＰＩＮコードと、発信側の前記携帯電話機の前記近距離通信手段に付与されたＰＩＮコードとが一致したとき、前記制御手段は、前記無線通信手段による無線接続を切断し、前記近距離通信手段による発信側の前記携帯電話機との通信を開始することを特徴とする。
【００２２】
請求項６記載の発明は、請求項１から５のいずれか１項記載の無線通信システムにおいて、前記携帯電話機は、前記近距離通信手段による通信が通信環境の劣化によって切断されたとき、前記制御手段は、前記無線通信手段によって発信側の前記携帯電話機と接続することを特徴とする。
【００２３】
請求項７記載の発明は、他の携帯電話機と直接に近距離通信を行う近距離通信手段と、公衆基地局を介して公衆電話網に無線接続する無線通信手段とを有する携帯電話機において、発信側の前記携帯電話機から送信されたオペレータ固有情報を含むセットアップメッセージを、前記公衆電話網を介して受信するセットアップメッセージ取得手段と、前記セットアップメッセージ取得手段によって取得した前記セットアップメッセージから前記オペレータ固有情報を読み出し、記憶する記憶手段と、前記記憶手段に記憶された前記オペレータ固有情報に基づいて、前記近距離通信手段と前記無線通信手段とを切り替える制御手段とを有することを特徴とする。
【００２４】
請求項８記載の発明は、請求項７記載の携帯電話機において、ＧＰＳ衛星からの電波によって現在位置を検出する位置情報検出手段と、前記オペレータ固有情報は、発信側の前記携帯電話機の現在位置を示す位置情報とを有し、前記制御手段は、前記位置情報検出手段によって検出した現在位置と前記位置情報とから前記近距離通信手段による通信が可能か否かを判断し、前記近距離通信手段による通信が可能であると判断されたとき、前記近距離通信手段によって発信側の前記携帯電話機と通信することを特徴とする。
【００２５】
請求項９記載の発明は、請求項８記載の携帯電話機において、前記制御手段は、前記近距離通信手段による通信が可能であると判断されたとき、前記公衆回線網との接続を切断し、前記近距離通信手段によって発信側の前記携帯電話機と通信することを特徴とする。
【００２６】
請求項１０記載の発明は、請求項７から９のいずれか１項記載の携帯電話機において、前記近距離通信手段がブルートゥースであり、前記オペレータ固有情報は、前記各携帯電話機の前記近距離通信手段に付与された固有のＢＤアドレスとＰＩＮコードとを有し、前記近距離通信手段によって発信側の前記携帯電話機と通信するとき、前記ＢＤアドレスと同様のＢＤアドレスを発信する前記携帯電話機を補足し、該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、前記オペレータ固有情報に含まれる前記ＰＩＮコードと、発信側の前記携帯電話機の前記近距離通信手段に付与されたＰＩＮコードとが一致したとき、前記制御手段は、前記近距離通信手段によって発信側の前記携帯電話機と通信することを特徴とする。
【００２７】
請求項１１記載の発明は、請求項１０記載の携帯電話機において、前記無線通信手段によって発信側の前記携帯電話機と無線接続されているとき、前記オペレータ固有情報に含まれる前記ＢＤアドレスと同様のＢＤアドレスを発信する前記携帯電話機の補足を継続し、該携帯電話機が補足されたとき、前記オペレータ固有情報に含まれる前記ＰＩＮコードと、発信側の前記携帯電話機の前記近距離通信手段に付与されたＰＩＮコードとが一致するか否かを判断し、前記オペレータ固有情報に含まれる前記ＰＩＮコードと、発信側の前記携帯電話機の前記近距離通信手段に付与されたＰＩＮコードとが一致したとき、前記制御手段は、前記無線通信手段による無線接続を切断し、前記近距離通信手段による発信側の前記携帯電話機との通信を開始することを特徴とする。
【００２８】
請求項１２記載の発明は、請求項７から１１のいずれか１項記載の携帯電話機において、前記近距離通信手段による通信が通信環境の劣化によって切断されたとき、前記制御手段は、前記無線通信手段によって発信側の前記携帯電話機と接続することを特徴とする。
【発明の効果】
【００２９】
本発明は、公衆基地局から呼び出しがあったとき、発信側の移動機から送信されたＳＥＴＵＰメッセージからオペレータ固有情報エリア内の情報を読み出し、発信側の移動機の位置情報、ＢＤアドレス、ＰＩＮコードを取得し、取得した移動機の位置情報と、着信側の移動機内のＧＰＳ部により取得した自機の位置情報とから、移動機間の距離を算出し、移動機間の距離が算出されると、算出された距離がＢＴ通信可能な範囲であるか否かを判断して、ＢＴ機能又は公衆回線による通信を選択して通信を実現することにより、公衆回線の使用による課金が発生せず、かつ移動機間の距離に応じて適切な通信手段によって通話を実現することができる。
【発明を実施するための最良の形態】
【００３０】
以下、本発明の一実施形態に係る無線通信システム及び携帯電話機の構成及び動作について説明する。
【００３１】
まず、本実施形態に係る無線通信システムの構成について図１を用いて説明する。
【００３２】
本実施形態に係る無線通信システムは、公衆回線用の公衆基地局１、発信側のＢＴ／ＧＰＳ内蔵移動機（以下、移動機とする）２、及び着信側のＢＴ／ＧＰＳ内蔵移動機（以下、移動機とする）３を有して構成され、公衆網を使って音声通話が可能である。移動機２と移動機３とは、共に内蔵したＢＴ機能により公衆基地局１を介することなく、相互に音声通話をすることが可能である。さらに、移動機２と移動機３とは、共に内蔵したＧＰＳ機能により、ＧＰＳ衛星４からの位置情報を受信することによって、自らの位置情報を入手することができる。
【００３３】
また、公衆網への接続にあたり、発信側の移動機２は公衆基地局１に発信要求を行うが、その際、通信ネゴシエーションの情報としてＳＥＴＵＰメッセージを送信する。このメッセージ内にはオペレータ固有情報エリアが存在する。公衆基地局１は、発信側の移動機２からの発信要求を受け、着信側の移動機３に着信要求を行うが、その際通信ネゴシエーションの情報としてＳＥＴＵＰメッセージを送信する。このメッセージ中にもオペレータ固有情報エリアは存在し、公衆基地局１は、発信側の移動機２からのオペレータ固有情報エリア内の情報を着信側の移動機３のオペレータ固有情報エリアにコピーする。
【００３４】
また、ＢＴ通信において、ＢＴ機能１つに対して、ユニークな番号が付加されており、これはＢＤアドレスと呼ばれ、ＢＤアドレスを使うことによって、特定のＢＴ内蔵移動機を補足することができる。また、初めて接続する端末同士では、ペアリングと呼ばれる認証行為をする必要があるが、この時、相手側のＢＴのＰＩＮコードを相手側に送信する必要がある。
【００３５】
次に、本実施形態に係る携帯電話機（ＢＴ／ＧＰＳ内蔵移動機）のハードウェア構成について図２を用いて説明する。
【００３６】
公衆基地局１との通信は、公衆用アンテナ１０１、公衆無線部１０２、公衆無線制御部１０３によって行われる。通常の公衆回線による通話時の上り音声は、マイク２０５から入力される音声が、Audio制御部２０３内のＡＤコンバータ（以下、ＡＤＣとする）２０３ａにて、ＰＣＭ信号に変換され、Path切替２０３ｄを経由して、音声符号化部１０４に入力され、公衆回線用に圧縮／符号化された後、公衆無線制御部１０３に渡される。下り音声は、公衆無線制御部１０３により圧縮／符号化された音声が、音声符号化部１０４に出力される。音声符号化部１０４にてＰＣＭ信号に変換された後、Audio制御部２０３内の、Path切替２０３ｃを経由し、ＤＡコンバータ（以下、ＤＡＣとする）２０３ｂにてアナログ信号に変換後、スピーカ２０４にて鳴動される。
【００３７】
一方、ＢＴ通信においては、相手側ＢＴとの通信は、ＢＴ用アンテナ３０１、ＢＴ無線部３０２、ＢＴ無線制御部３０３によって行われる。通常、相手側ＢＴがＢＴヘッドセット５の場合、公衆回線からの下りＰＣＭ音声が、Path切替２０３ｅを経由して、ＢＴ音声符号化部３０４に入力され、ＢＴ用に圧縮／符号化された後、ＢＴヘッドセット５に送信される。ＢＴヘッドセット５からの上り音声は、ＢＴ音声符号化部３０４にてＰＣＭ信号に変換後、Audio制御部２０３内のPath切替２０３ｄを経由して音声符号化部１０４に入力され、相手側移動機へと送られる。
【００３８】
本発明の特徴である、ＢＴ同士の音声通話を行う場合、上り音声はマイク２０５からＡＤＣ２０３ａ、Path切替２０３ｅを経由して、ＢＴ音声符号化部３０４に入力される。下り音声は、ＢＴ音声符号化部３０４からPath切替２０３ｃ、ＤＡＣ２０３ｂを経由して、スピーカ２０４にて鳴動される。
【００３９】
移動機は、位置情報を取得される手段としてＧＰＳ部２０２を有する。ＧＰＳ部２０２によって、取得した位置情報は、通信制御部２０１に送られる。通信制御部２０１は、自移動機の位置情報と相手移動機の位置情報から、相手側移動機との距離を算出し、状況によって、Audio制御部２０３内のPath切替２０３ｃ、Path切替２０３ｄ、Path切替２０３ｅの切替制御、及び公衆無線部１０２、公衆無線制御部１０３、音声符号化部１０４、ＢＴ無線部３０２、ＢＴ無線制御部３０３、ＢＴ音声符号化部３０４の通信開始／終了制御を行う。
【００４０】
次に、図３を用いて、本実施形態に係る無線通信システムの動作について説明する。
【００４１】
通常、移動機３は、公衆基地局１からの呼び出し、及び相手移動機２のＢＴからの接続要求を待つ待機状態にある（ステップＳ３００１）。
【００４２】
移動機２は、通信相手と通話を行う場合、公衆基地局１に対して、発信要求を送信する際、ＳＥＴＵＰメッセージ内のオペレータ固有の情報が書き込まれるエリア内に、ＧＰＳ部２０２より取得した位置情報と、自機のＢＤアドレスと、ＰＩＮコードとを挿入して送信する。
【００４３】
移動機３は、公衆基地局１からの呼び出し、又は通信相手である移動機２のＢＴからの接続要求を待って待機する（ステップＳ３００２、ステップＳ３０１２）。ステップＳ３００２及びステップＳ３０１２のいずれも無しと判断された場合は（ステップＳ３００２／ＮＯ、ステップＳ３０１２／ＮＯ）、公衆基地局１からの呼び出し、及び相手移動機２のＢＴからの接続要求を待つ待機状態に戻る（ステップＳ３００１）。
【００４４】
移動機２のＢＴからの接続要求があった場合は（ステップＳ３０１２／ＹＥＳ）、移動機２のＢＴと接続するための認証処理を行う（ステップＳ３０１３）。具体的には、移動機２のＢＴのＰＩＮコードを確認し、自機（移動機３）のＢＴのＰＩＮコードと一致するか否かにより認証処理を行う。移動機２のＢＴのＰＩＮコードと自機のＢＴのＰＩＮコードとが一致しなかった場合は（ステップＳ３０１３／ＮＯ）、接続不可と判断し、公衆基地局１からの呼び出し、及び相手移動機２のＢＴからの接続要求を待つ待機状態に戻る（ステップＳ３００１）。
【００４５】
移動機２のＢＴのＰＩＮコードと自機のＢＴのＰＩＮコードとが一致した場合は（ステップＳ３０１３／ＹＥＳ）、接続可能と判断し、Audio制御部２０３内のPath切替（２０３ｃ、２０３ｄ、２０３ｅ）を制御してＢＴ端末間における音声通話用の設定を行う（ステップＳ３００９）。ＢＴ端末間における通話が開始されると、通話の終了を監視する（ステップＳ３０１０）。ＢＴ端末間における通話が終了すると（ステップＳ３０１０／ＹＥＳ）、Audio制御部２０３内のPath切替（２０３ｃ、２０３ｄ、２０３ｅ）が公衆回線通話用の設定に戻され（ステップＳ３０１１）、公衆基地局１からの呼び出し、及び相手移動機２のＢＴからの接続要求を待つ待機状態に戻る（ステップＳ３００１）。
【００４６】
公衆基地局１から呼び出しがあった場合は（ステップＳ３００２／ＹＥＳ）、移動機２から送信されたＳＥＴＵＰメッセージからオペレータ固有情報エリア内の情報を読み出し、移動機２の位置情報、ＢＤアドレス、ＰＩＮコードを取得する（ステップＳ３００３）。ここで、移動機２の位置情報、ＢＤアドレス、ＰＩＮコードを取得することができなかった場合は（ステップＳ３００３／ＮＯ）、移動機２が本発明に対応していない機種と判断して、通常の公衆回線接続を行う（ステップＳ３０１４）。通話が終了すると（ステップＳ３０１５／ＹＥＳ）、公衆基地局１からの呼び出し、及び相手移動機２のＢＴからの接続要求を待つ待機状態に戻る（ステップＳ３００１）。
【００４７】
受信したＳＥＴＵＰメッセージから移動機２の位置情報、ＢＤアドレス、ＰＩＮコードの全てが取得できた場合（ステップＳ３００３／ＹＥＳ）、取得した移動機２の位置情報と、移動機３内のＧＰＳ部２０２により取得した自機の位置情報とから、移動機間の距離を算出する（ステップＳ３００４）。移動機間の距離が算出されると、算出された距離がＢＴ通信可能な範囲であるか否かを判断する（ステップＳ３００５）。ＢＴ通信が不可能と判断された場合は（ステップＳ３００５／ＮＯ）、通常の公衆回線接続を行う（ステップＳ３０１４）。通話が終了すると（ステップＳ３０１５／ＹＥＳ）、公衆基地局１からの呼び出し、及び相手移動機２のＢＴからの接続要求を待つ待機状態に戻る（ステップＳ３００１）。
【００４８】
ＢＴ通信が可能と判断された場合は（ステップＳ３００５／ＹＥＳ）、ステップＳ３００３において取得済みの移動機２のＢＤアドレスを用い、該ＢＤアドレスを含む信号を発信する移動機２のＢＴを補足する（ステップＳ３００６）。取得済みの移動機のＢＤアドレスと同一のＢＤアドレスを発信する移動機を補足することができなかった場合は（ステップＳ３００６／ＮＯ）、ＢＴ通信不可と判断して通常の公衆回線接続を行う（ステップＳ３０１４）。通話が終了すると（ステップＳ３０１５／ＹＥＳ）、公衆基地局１からの呼び出し、及び相手移動機２のＢＴからの接続要求を待つ待機状態に戻る（ステップＳ３００１）。
【００４９】
一方、取得済みの移動機のＢＤアドレスと同一のＢＤアドレスを発信する移動機を補足することができた場合は（ステップＳ３００６／ＹＥＳ）、ステップＳ３００３において取得済みの移動機２のＰＩＮコードを用いて認証処理を行う（ステップＳ３００７）。なお、具体的な認証処理の方法はステップＳ３０１３と同様であるため、ここでは説明を省略する。移動機２のＰＩＮコードの認証に失敗した場合は（ステップＳ３００７／ＮＯ）、ＢＴ通信不可と判断し、通常の公衆回線接続を行う（ステップＳ３０１４）。通話が終了すると（ステップＳ３０１５／ＹＥＳ）、公衆基地局１からの呼び出し、及び相手移動機２のＢＴからの接続要求を待つ待機状態に戻る（ステップＳ３００１）。
【００５０】
移動機２のＰＩＮコードの認証に成功した場合は（ステップＳ３００７／ＹＥＳ）、公衆基地局１からの呼び出しの応答として、切断要求を行い、公衆回線による移動機２との接続を拒否する（ステップＳ３００８）。なお、この時点では呼出中にあるため、公衆回線の使用による課金は発生していない。次に、Audio制御部２０３内のPath切替（２０３ｃ、２０３ｄ、２０３ｅ）を制御してＢＴ端末間における音声通話用の設定を行う（ステップＳ３００９）。ＢＴ端末間における通話が開始されると、通話の終了を監視する（ステップＳ３０１０）。ＢＴ端末間における通話が終了すると（ステップＳ３０１０／ＹＥＳ）、Audio制御部２０３内のPath切替（２０３ｃ、２０３ｄ、２０３ｅ）が公衆回線通話用の設定に戻され（ステップＳ３０１１）、公衆基地局１からの呼び出し、及び相手移動機２のＢＴからの接続要求を待つ待機状態に戻る（ステップＳ３００１）。
【００５１】
上述の構成によれば、公衆基地局１から呼び出しがあったとき、移動機２から送信されたＳＥＴＵＰメッセージからオペレータ固有情報エリア内の情報を読み出し、移動機２の位置情報、ＢＤアドレス、ＰＩＮコードを取得し、取得した移動機２の位置情報と、移動機３内のＧＰＳ部２０２により取得した自機の位置情報とから、移動機間の距離を算出し、移動機間の距離が算出されると、算出された距離がＢＴ通信可能な範囲であるか否かを判断して、ＢＴ機能又は公衆回線による通信を選択して通信を実現することにより、公衆回線の使用による課金が発生せず、かつ移動機間の距離に応じて適切な通信手段によって通話を実現することができる。
【００５２】
次に、他の実施形態に係る無線通信システムの動作について図４を用いて説明する。なお、本実施形態に係るBluetooth通話システムの構成、及び移動機のハードウェア構成については、上述の実施形態に係る通信システム及び移動機の構成と同様であるため、説明を省略する。
【００５３】
通常、移動機３は、公衆基地局１からの呼び出し、及び相手移動機２のＢＴからの接続要求を待つ待機状態にある（ステップＳ４００１）。
【００５４】
移動機２は、通信相手と通話を行う場合、公衆基地局１に対して、発信要求を送信する際、ＳＥＴＵＰメッセージ内のオペレータ固有の情報が書き込まれるエリア内に、ＧＰＳ部２０２より取得した位置情報と、自機のＢＤアドレスと、ＰＩＮコードとを挿入して送信する。
【００５５】
移動機３は、公衆基地局１からの呼び出し、又は通信相手である移動機２のＢＴからの接続要求を待って待機する（ステップＳ４００２、ステップＳ４０１２）。ステップＳ４００２及びステップＳ４０１２のいずれも無しと判断された場合は（ステップＳ４００２／ＮＯ、ステップＳ４０１２／ＮＯ）、公衆基地局１からの呼び出し、及び相手移動機２のＢＴからの接続要求を待つ待機状態に戻る（ステップＳ４００１）。
【００５６】
移動機２のＢＴからの接続要求があった場合は（ステップＳ４０１２／ＹＥＳ）、移動機２のＢＴと接続するための認証処理を行う（ステップＳ４０１３）。具体的には、移動機２のＢＴのＰＩＮコードを確認し、自機（移動機３）のＢＴのＰＩＮコードと一致するか否かにより認証処理を行う。移動機２のＢＴのＰＩＮコードと自機のＢＴのＰＩＮコードとが一致しなかった場合は（ステップＳ４０１３／ＮＯ）、接続不可と判断し、公衆基地局１からの呼び出し、及び相手移動機２のＢＴからの接続要求を待つ待機状態に戻る（ステップＳ４００１）。
【００５７】
移動機２のＢＴのＰＩＮコードと自機のＢＴのＰＩＮコードとが一致した場合は（ステップＳ４０１３／ＹＥＳ）、接続可能と判断し、Audio制御部２０３内のPath切替（２０３ｃ、２０３ｄ、２０３ｅ）を制御してＢＴ端末間における音声通話用の設定を行う（ステップＳ４００９）。ＢＴ端末間における通話が開始されると、通話の終了を監視する（ステップＳ４０１０）。ＢＴ端末間における通話が終了すると（ステップＳ４０１０／ＹＥＳ）、Audio制御部２０３内のPath切替（２０３ｃ、２０３ｄ、２０３ｅ）が公衆回線通話用の設定に戻され（ステップＳ４０１１）、公衆基地局１からの呼び出し、及び相手移動機２のＢＴからの接続要求を待つ待機状態に戻る（ステップＳ４００１）。
【００５８】
公衆基地局１から呼び出しがあった場合は（ステップＳ４００２／ＹＥＳ）、移動機２から送信されたＳＥＴＵＰメッセージからオペレータ固有情報エリア内の情報を読み出し、移動機２の位置情報、ＢＤアドレス、ＰＩＮコードを取得する（ステップＳ４００３）。ここで、移動機２の位置情報、ＢＤアドレス、ＰＩＮコードを取得することができなかった場合は（ステップＳ４００３／ＮＯ）、移動機２が本発明に対応していない機種と判断して、通常の公衆回線接続を行う（ステップＳ４０１４）。通話が終了すると（ステップＳ４０１５／ＹＥＳ）、公衆基地局１からの呼び出し、及び相手移動機２のＢＴからの接続要求を待つ待機状態に戻る（ステップＳ３００１）。
【００５９】
受信したＳＥＴＵＰメッセージから移動機２の位置情報、ＢＤアドレス、ＰＩＮコードの全てが取得できた場合は（ステップＳ４００３／ＹＥＳ）、取得した移動機２の位置情報と、移動機３内のＧＰＳ部２０２により取得した自機の位置情報とから、移動機間の距離を算出する（ステップＳ４００４）。移動機間の距離が算出されると、算出された距離がＢＴ通信可能な範囲であるか否かを判断する（ステップＳ４００５）。
【００６０】
ＢＴ通信が可能と判断された場合は（ステップＳ４００５／ＹＥＳ）、ステップＳ４００３において取得済みの移動機２のＢＤアドレスを用い、該ＢＤアドレスを含む信号を発信する移動機２のＢＴを補足する（ステップＳ４００６）。
【００６１】
ＢＴ通信が不可能と判断された場合（ステップＳ４００５／ＮＯ）、及び取得済みの移動機のＢＤアドレスと同一のＢＤアドレスを発信する移動機を補足することができなかった場合（ステップＳ４００６／ＮＯ）、取得済みの移動機２のＢＤアドレスを含む信号を発信する移動機の補足を再度行うと同時に、通常の公衆回線接続を行う（ステップＳ４０１６）。該ＢＤアドレスを含む信号を発信する移動機の補足は、公衆回線を利用した通話が終了するまで行われる。公衆回線による通話中に、該ＢＤアドレスを含む信号を発信する移動機の補足に成功した場合は（ステップＳ４０１７／ＹＥＳ）、ステップＳ４００３において取得済みの移動機２のＰＩＮコードを用いて認証処理を行う（ステップＳ４０１８）。なお、具体的な認証処理の方法はステップＳ４０１３と同様であるため、ここでは説明を省略する。移動機２のＰＩＮコードの認証に成功した場合は（ステップＳ４０１８／ＹＥＳ）、公衆基地局１からの呼び出しの応答として、切断要求を行い、公衆回線による移動機２との接続を拒否する（ステップＳ４００８）。なお、この時点では呼出中にあるため、公衆回線の使用による課金は発生していない。次に、Audio制御部２０３内のPath切替（２０３ｃ、２０３ｄ、２０３ｅ）を制御してＢＴ端末間における音声通話用の設定を行う（ステップＳ４００９）。ＢＴ端末間における通話が開始されると、通話の終了を監視する（ステップＳ４０１０）。ＢＴ端末間における通話が終了すると（ステップＳ４０１０／ＹＥＳ）、Audio制御部２０３内のPath切替（２０３ｃ、２０３ｄ、２０３ｅ）が公衆回線通話用の設定に戻され（ステップＳ４０１１）、公衆基地局１からの呼び出し、及び相手移動機２のＢＴからの接続要求を待つ待機状態に戻る（ステップＳ４００１）。
【００６２】
なお、公衆回線による通話中に、該ＢＤアドレスを含む信号を発信する移動機を補足できなかった場合（ステップＳ４０１７／ＮＯ）又は移動機２のＰＩＮコードの認証に成功しなかった場合（ステップＳ４０１８／ＮＯ）、公衆回線による通話が維持される（ステップＳ４０１９）。通話が終了すると（ステップＳ４０１９／ＹＥＳ）、公衆基地局１からの呼び出し、及び相手移動機２のＢＴからの接続要求を待つ待機状態に戻る（ステップＳ４００１）。
【００６３】
一方、取得済みの移動機のＢＤアドレスと同一のＢＤアドレスを発信する移動機を補足することができた場合は（ステップＳ４００６／ＹＥＳ）、ステップＳ４００３において取得済みの移動機２のＰＩＮコードを用いて認証処理を行う（ステップＳ４００７）。なお、具体的な認証処理の方法はステップＳ４０１３と同様であるため、ここでは説明を省略する。移動機２のＰＩＮコードの認証に失敗した場合は（ステップＳ４００７／ＮＯ）、ＢＴ通信不可と判断し、通常の公衆回線接続を行う（ステップＳ４０１４）。通話が終了すると（ステップＳ４０１５／ＹＥＳ）、公衆基地局１からの呼び出し、及び相手移動機２のＢＴからの接続要求を待つ待機状態に戻る（ステップＳ４００１）。
【００６４】
移動機２のＰＩＮコードの認証に成功した場合は（ステップＳ４００７／ＹＥＳ）、公衆基地局１からの呼び出しの応答として、切断要求を行い、公衆回線による移動機２との接続を拒否する（ステップＳ４００８）。なお、この時点では呼出中にあるため、公衆回線の使用による課金は発生していない。次に、Audio制御部２０３内のPath切替（２０３ｃ、２０３ｄ、２０３ｅ）を制御してＢＴ端末間における音声通話用の設定を行う（ステップＳ４００９）。ＢＴ端末間における通話が開始されると、通話の終了を監視する（ステップＳ４０１０）。ＢＴ端末間における通話が終了すると（ステップＳ４０１０／ＹＥＳ）、Audio制御部２０３内のPath切替（２０３ｃ、２０３ｄ、２０３ｅ）が公衆回線通話用の設定に戻され（ステップＳ４０１１）、公衆基地局１からの呼び出し、及び相手移動機２のＢＴからの接続要求を待つ待機状態に戻る（ステップＳ４００１）。
【００６５】
本構成によれば、移動機間の距離が通信可能範囲外と判断された場合、及び受信側の移動機が保持するＢＤアドレスと同様のＢＤアドレスを含む信号を発信する移動機の補足に失敗した場合に、公衆回線による通話を開始すると同時に、該ＢＤアドレスを含む信号を発信する移動機の補足を再度行い、ＢＴによる通信が可能になった時点で、公衆回線による通信からＢＴによる通信に移行することにより、公衆回線を利用した通信の時間を削減することができるため、公衆回線の利用による課金を最小限に抑えることができる。
【００６６】
次に、他の実施形態に係る無線通信システムの動作について図５を用いて説明する。なお、本実施形態に係るBluetooth通話システムの構成、及び移動機のハードウェア構成については、上述の実施形態に係る通信システム及び移動機の構成と同様であるため、説明を省略する。
【００６７】
本実施形態に係る無線通信システムは、ＢＴによる通話中、ＢＴ通信の電波環境が劣化し、通信が切断されたときに、公衆回線による接続による通信に移行する点において、上述の実施形態と異なる。例えば、ＢＴによる通信移行後、各移動機が場所を移動して通信可能範囲外となり、ＢＴ通信が切断に至った場合に、公衆回線にて発信行為を実施して、公衆回線による接続を開始する。
【００６８】
具体的には、Audio制御部２０３内のPath切替（２０３ｃ、２０３ｄ、２０３ｅ）を制御してＢＴ端末間における音声通話用の設定が行われ、ＢＴ端末間における通話が開始されると（ステップＳ５００９）、ＢＴ通信環境の劣化による通信の切断を監視する（ステップＳ５０１９）。ＢＴ通信環境が劣化し、通信が切断された場合は（ステップＳ５０１９／ＹＥＳ）、Audio制御部２０３内のPath切替（２０３ｃ、２０３ｄ、２０３ｅ）が公衆回線通話用の設定に戻され、公衆回線で着信があった相手先電話番号に自ら発信して通常の公衆回線接続を行う（ステップＳ５０１４）。通話が終了すると（ステップＳ５０１５／ＹＥＳ）、公衆基地局１からの呼び出し、及び相手移動機２のＢＴからの接続要求を待つ待機状態に戻る（ステップＳ５００１）。
【００６９】
一方、良好なＢＴ通信環境が維持されている間は（ステップＳ５０１９／ＮＯ）、通話の終了が監視される（ステップＳ５０１０）。ＢＴ端末間における通話が終了すると（ステップＳ５０１０／ＹＥＳ）、Audio制御部２０３内のPath切替（２０３ｃ、２０３ｄ、２０３ｅ）が公衆回線通話用の設定に戻され（ステップＳ５０１１）、公衆基地局１からの呼び出し、及び相手移動機２のＢＴからの接続要求を待つ待機状態に戻る（ステップＳ５００１）。
【００７０】
上述の構成によれば、ＢＴによる通信中にＢＴ通信環境が劣化し、通信が切断された場合に、公衆回線による接続に移行することにより、ＢＴによる通信が切断されたときに、ユーザが公衆回線への接続操作を行う必要がないため、その利便性を向上させることができる。
【００７１】
次に、他の実施形態に係る無線通信システムの動作について図６を用いて説明する。なお、本実施形態に係るBluetooth通話システムの構成、及び移動機のハードウェア構成については、上述の実施形態に係る通信システム及び移動機の構成と同様であるため、説明を省略する。
【００７２】
本実施形態に係る無線通信システムは、移動機がＧＰＳ部２０２を有しない場合においても、ＢＴによる通信を実行することができる点で上述の実施形態と異なる。
【００７３】
通常、移動機３は、公衆基地局１からの呼び出し、及び相手移動機２のＢＴからの接続要求を待つ待機状態にある（ステップＳ６００１）。
【００７４】
移動機２は、通信相手と通話を行う場合、公衆基地局１に対して、発信要求を送信する際、ＳＥＴＵＰメッセージ内のオペレータ固有の情報が書き込まれるエリア内に、ＧＰＳ部２０２より取得した位置情報と、自機のＢＤアドレスと、ＰＩＮコードとを挿入して送信する。
【００７５】
移動機３は、公衆基地局１からの呼び出し、又は通信相手である移動機２のＢＴからの接続要求を待って待機する（ステップＳ６００２、ステップＳ６０１３）。ステップＳ６００２及びステップＳ６０１３のいずれも無しと判断された場合は（ステップＳ６００２／ＮＯ、ステップＳ６０１３／ＮＯ）、公衆基地局１からの呼び出し、及び相手移動機２のＢＴからの接続要求を待つ待機状態に戻る（ステップＳ６００１）。
【００７６】
移動機２のＢＴからの接続要求があった場合は（ステップＳ６０１３／ＹＥＳ）、移動機２のＢＴと接続するための認証処理を行う（ステップＳ６０１４）。具体的には、移動機２のＢＴのＰＩＮコードを確認し、自機（移動機３）のＢＴのＰＩＮコードと一致するか否かにより認証処理を行う。移動機２のＢＴのＰＩＮコードと自機のＢＴのＰＩＮコードとが一致しなかった場合は（ステップＳ６０１４／ＮＯ）、接続不可と判断し、公衆基地局１からの呼び出し、及び相手移動機２のＢＴからの接続要求を待つ待機状態に戻る（ステップＳ６００１）。
【００７７】
移動機２のＢＴのＰＩＮコードと自機のＢＴのＰＩＮコードとが一致した場合は（ステップＳ６０１４／ＹＥＳ）、接続可能と判断し、Audio制御部２０３内のPath切替（２０３ｃ、２０３ｄ、２０３ｅ）を制御してＢＴ端末間における音声通話用の設定を行う（ステップＳ６０１０）。ＢＴ端末間における通話が開始されると、通話の終了を監視する（ステップＳ６０１１）。ＢＴ端末間における通話が終了すると（ステップＳ６０１１／ＹＥＳ）、Audio制御部２０３内のPath切替（２０３ｃ、２０３ｄ、２０３ｅ）が公衆回線通話用の設定に戻され（ステップＳ６０１２）、公衆基地局１からの呼び出し、及び相手移動機２のＢＴからの接続要求を待つ待機状態に戻る（ステップＳ６００１）。
【００７８】
公衆基地局１から呼び出しがあった場合は（ステップＳ６００２／ＹＥＳ）、移動機２から送信されたＳＥＴＵＰメッセージからオペレータ固有情報エリア内の情報を読み出し、移動機２のＢＤアドレス及びＰＩＮコードを取得する（ステップＳ６００３）。ここで、移動機２のＢＤアドレス及びＰＩＮコードを取得することができなかった場合は（ステップＳ６００３／ＮＯ）、移動機２が本発明に対応していない機種と判断して、通常の公衆回線接続を行う（ステップＳ６０１５）。通話が終了すると（ステップＳ６０１６／ＹＥＳ）、公衆基地局１からの呼び出し、及び相手移動機２のＢＴからの接続要求を待つ待機状態に戻る（ステップＳ６００１）。
【００７９】
受信したＳＥＴＵＰメッセージから移動機２のＢＤアドレス及びＰＩＮコードが取得できた場合（ステップＳ６００３／ＹＥＳ）、移動機２から送信されたＳＥＴＵＰメッセージのオペレータ固有情報エリアから位置情報を読み出す（ステップＳ６００４）。移動機２の位置情報を取得することができた場合は（ステップＳ６００４／ＹＥＳ）、取得した移動機２の位置情報と、移動機３内のＧＰＳ部２０２により取得した自機の位置情報とから、移動機間の距離を算出する（ステップＳ６００５）。移動機間の距離が算出されると、算出された距離がＢＴ通信可能な範囲であるか否かを判断する（ステップＳ６００６）。ＢＴ通信が不可能と判断された場合は（ステップＳ６００６／ＮＯ）、通常の公衆回線接続を行う（ステップＳ６０１５）。通話が終了すると（ステップＳ６０１６／ＹＥＳ）、公衆基地局１からの呼び出し、及び相手移動機２のＢＴからの接続要求を待つ待機状態に戻る（ステップＳ６００１）。
【００８０】
ＢＴ通信が可能と判断された場合（ステップＳ６００６／ＹＥＳ）及び移動機２の位置情報を取得することができなかった場合（ステップＳ６００４／ＮＯ）、ステップＳ６００３において取得済みの移動機２のＢＤアドレスを用い、該ＢＤアドレスを含む信号を発信する移動機２のＢＴを補足する（ステップＳ６００７）。取得済みの移動機のＢＤアドレスと同一のＢＤアドレスを発信する移動機を補足することができなかった場合は（ステップＳ６００７／ＮＯ）、ＢＴ通信不可と判断して通常の公衆回線接続を行う（ステップＳ６０１５）。通話が終了すると（ステップＳ６０１６／ＹＥＳ）、公衆基地局１からの呼び出し、及び相手移動機２のＢＴからの接続要求を待つ待機状態に戻る（ステップＳ６００１）。
【００８１】
一方、取得済みの移動機のＢＤアドレスと同一のＢＤアドレスを発信する移動機を補足することができた場合は（ステップＳ６００７／ＹＥＳ）、ステップＳ６００３において取得済みの移動機２のＰＩＮコードを用いて認証処理を行う（ステップＳ６００８）。なお、具体的な認証処理の方法はステップＳ６０１４と同様であるため、ここでは説明を省略する。移動機２のＰＩＮコードの認証に失敗した場合は（ステップＳ６００８／ＮＯ）、ＢＴ通信不可と判断し、通常の公衆回線接続を行う（ステップＳ６０１５）。通話が終了すると（ステップＳ６０１６／ＹＥＳ）、公衆基地局１からの呼び出し、及び相手移動機２のＢＴからの接続要求を待つ待機状態に戻る（ステップＳ６００１）。
【００８２】
移動機２のＰＩＮコードの認証に成功した場合は（ステップＳ６００８／ＹＥＳ）、公衆基地局１からの呼び出しの応答として、切断要求を行い、公衆回線による移動機２との接続を拒否する（ステップＳ６００９）。なお、この時点では呼出中にあるため、公衆回線の使用による課金は発生していない。次に、Audio制御部２０３内のPath切替（２０３ｃ、２０３ｄ、２０３ｅ）を制御してＢＴ端末間における音声通話用の設定を行う（ステップＳ６０１０）。ＢＴ端末間における通話が開始されると、通話の終了を監視する（ステップＳ６０１１）。ＢＴ端末間における通話が終了すると（ステップＳ６０１１／ＹＥＳ）、Audio制御部２０３内のPath切替（２０３ｃ、２０３ｄ、２０３ｅ）が公衆回線通話用の設定に戻され（ステップＳ６０１２）、公衆基地局１からの呼び出し、及び相手移動機２のＢＴからの接続要求を待つ待機状態に戻る（ステップＳ６００１）。
【００８３】
上述の構成によれば、移動機が自機の位置を確認するＧＰＳ機能を有していない場合であっても、各移動機が置かれている環境に応じて適切な通信手段を選択し、該選択手段により選択された通信手段によって通信を実現することができる。
【００８４】
なお、上述の実施形態は、各実施形態に係る動作（図３〜６に示す）に限定されるものではなく、他の実施形態と組み合わせて実現することも可能である。
【図面の簡単な説明】
【００８５】
【図１】本実施形態に係る無線通信システムの構成を示すブロック図である。
【図２】携帯電話機の構成を示すブロック図である。
【図３】本実施形態に係る無線通信システムの動作を示すフローチャートである。
【図４】本実施形態に係る無線通信システムの動作を示すフローチャートである。
【図５】本実施形態に係る無線通信システムの動作を示すフローチャートである。
【図６】本実施形態に係る無線通信システムの動作を示すフローチャートである。
【符号の説明】
【００８６】
１    公衆基地局
２、３    ＢＴ／ＧＰＳ内蔵移動機
４    ＧＰＳ衛星
５    ＢＴヘッドセット
【図１】
2007336359.tif 000003
【図２】
2007336359.tif 000004
【図３】
2007336359.tif 000005
【図４】
2007336359.tif 000006
【図５】
2007336359.tif 000007
【図６】
2007336359.tif 000008